(57)【要約】【課題】  ディスクに当接することにより対物レンズがディスクに衝突することを阻止する衝突防止機構の構成要素であるプロテクターを起立姿勢でレンズホルダーに設置する。プロテクターの組立作業性を改善する。【解決手段】  プロテクター保持枠９０の差込口９１を、横幅Ｗ１がプロテクター９８の横幅Ｗ２よりも長く、縦幅Ｄ１がプロテクターＤ２の厚さと同等の横長開口によって形成する。差込口９１の縦幅方向Ｂの縁部に傾斜した誘導ガイド面９２を形成する。プロテクター保持枠９０の側壁部９３，９４に、プロテクター９８を挟持する治具１００の先端部１１０の嵌合を許容する逃がし凹所９５，９６を形成する。【選択図】        図３
2010192035.tif 000002
【特許請求の範囲】
【請求項１】
記録媒体としてのディスクの記録面に光ビームを集光させる光学要素としての対物レンズを備えてなるレンズホルダーと、このレンズホルダーに設けられて、上記ディスクに当接することにより上記対物レンズが上記ディスクに衝突することを阻止する衝突防止機構とを備える対物レンズアクチュエータにおいて、
上記衝突防止機構が、矩形平板状のプロテクターと、このプロテクターを起立姿勢で内部に収容してその一端面を上記ディスクの表面に対向させるプロテクター保持枠とを有し、
上記プロテクター保持枠は、上記レンズホルダーと共に一体成形された樹脂成形体でなると共に上記プロテクターの差込口を有し、その差込口は、横幅が上記プロテクターの横幅よりも長く、かつ、縦幅が上記プロテクターの厚さと同等の横長開口によって形成され、その差込口の縦幅方向の縁部に、当該保持枠に挿入される上記プロテクターの端部を滑らせて当該保持枠の内部に誘導する傾斜した誘導ガイド面が備わっていることを特徴とする対物レンズアクチュエータ。
【請求項２】
上記プロテクター保持枠が、起立姿勢で内部に収容された上記プロテクターの厚さ方向２箇所の表面に各別に接触してそのプロテクターの厚さ方向でのがたつきを防ぐ一対の側壁部と、上記プロテクターの他端面を支持して上記対物レンズからの当該プロテクターの一端面の出幅を規制する底壁部と、を有し、上記誘導ガイド面が、上記側壁部の端部の内側コーナ全長部分に形成された平坦な面取り面でなる請求項１に記載した対物レンズアクチュエータ。
【請求項３】
プロテクター保持枠の一対の上記側壁部に、上記プロテクターを先端部で挟持して当該プロテクター保持枠に収容させるときに用いられる治具の上記先端部の嵌合を許容する逃がし凹所が形成されている請求項２に記載した対物レンズアクチュエータ。
【請求項４】
プロテクターの一対の上記側壁部のうちの少なくとも１つの側壁部に形成されている上記逃がし凹所が上記底壁部に達する深さに形成されていて、その底壁部と上記逃がし凹所の壁面とで囲まれた囲繞部に、上記プロテクターと上記プロテクター保持枠とを接合している接着剤が塗布されている請求項３に記載した対物レンズアクチュエータ。
【請求項５】
上記衝突防止機構が、上記レンズホルダーの対物レンズ設置箇所を挟んでその両側に位置している請求項１ないし請求項４のいずれか１項に記載した対物レンズアクチュエータ。
【請求項６】
プロテクター保持枠の上記差込口の横幅方向が、上記対物レンズに対向配備される上記ディスクの記録面の半径方向に沿っている請求項１ないし請求項５のいずれか１項に記載した対物レンズアクチュエータ。
【発明の詳細な説明】
【技術分野】
【０００１】
本発明は、対物レンズアクチュエータ、特に、光学要素としての対物レンズを装備しているレンズホルダーに、上記対物レンズがディスクに衝突することを防ぐための衝突防止機構が設けられている対物レンズアクチュエータに関する。
【背景技術】
【０００２】
コンパクトディスク（ＣＤ）、デジタル多用途ディスク（ＤＶＤ）、高品位ＤＶＤ、ブレーレイディスク（ＢＤ）などのディスクを使用対象としている光ディスク装置では、記録媒体としての上記ディスクの記録面に光ビームを照射することを通じて情報の記録や再生が行われる。
【０００３】
近時の光ディスク装置の光学系を形成している対物レンズアクチュエータでは、たとえばＢＤのような高密度化されたディスクを光学的に処理するために、光源の波長を短くし（たとえばＢＤでは４０５ｎｍ）、対物レンズの開口数（ＮＡ）を大きくして（たとえばＢＤではＮＡ＝０．８５）、ディスクの記録面に形成される光ビームのスポットサイズを小さくしている。そして、このように対物レンズの開口数を大きくした場合、対物レンズアクチュエータによってディスクを光学的に処理する際の対物レンズとディスク表面との対向間隔（ＷＤ：ワーキングディスタンス）が非常に小さくなることが判っている。
【０００４】
一方、対物レンズアクチュエータの中には、固定部材から延び出たばね性を有する導電性細線でなるサスペンションワイヤーによってレンズホルダーを片持ち状に保持させているものがある。この種の対物レンズアクチュエータにおいて、対物レンズを備えるレンズホルダーは、電磁駆動機構の作用により、サスペンションワイヤーの撓み変形を伴いながらフォーカス方向やトラッキング方向に変位制御される。そのため、上記したように非常に狭いＷＤを維持することが要求される対物レンズアクチュエータでは、何らかの要因（たとえばディスクの反り変形、振動など）でレンズホルダーの対物レンズにディスクの表面が衝突して、ディスクの表面が傷付いたり、ディスクの記録面が損傷したり、対物レンズの表面が傷付いたりするおそれがある。
【０００５】
そこで、レンズホルダーに、ディスクに当接することにより対物レンズがディスクに衝突することを阻止する衝突防止機構を設けることが行われている（たとえば、特許文献１、特許文献２、特許文献３参照）。
【０００６】
特許文献１には、ポリアセタールなどの適宜材料でなる板状の衝突防止部材をレンズホルダーに形成されている空洞部に片側から差し込むことによって、その衝突防止部材の先端部を上記空洞部の他側に突き出させると共に、衝突防止部材の端部に設けた凸部を上記空洞部の他側に設けたストッパ面に係合させることにより、対物レンズからの衝突防止部材の出幅を規制することが開示されている。
【０００７】
特許文献２には、レンズホルダーに設けられる対物レンズの鏡筒の端部の周囲２箇所に、対物レンズよりも突き出た態様で、ＰＯＭ系樹脂材料でなるプロテクターをアウトサート成形することが記載されている。
【０００８】
特許文献３には、非晶質炭素膜などでなる保護潤滑層を表面に製膜した金属板を、上記保護潤滑層が対物レンズよりも突き出た態様で、レンズホルダーの対物レンズの周囲複数箇所にアウトサート成形によって配備することが記載されている。
【先行技術文献】
【特許文献】
【０００９】
【特許文献１】特開２００７−３０５１７９号公報
【特許文献２】特開２００２−２６９７９０号公報
【特許文献３】特開２００１−２９７４７８号公報
【発明の概要】
【発明が解決しようとする課題】
【００１０】
しかしながら、特許文献１に記載されている先行例では、空洞部の横幅及び縦幅の各寸法を、板状の衝突防止部材の横幅及び厚さ（縦幅）の各寸法に合わせることによって、空洞部にがたつきなく衝突防止部材が差し込まれるようにしている。そのために、たとえばピンセットなどの治具の先端部で板片状の衝突防止部材を挟持してレンズホルダーの空洞部に差し込むときに、衝突防止部材が空洞部の片側の端縁に引掛かったりしやすくなり、その差込み操作を熟練者であっても容易に行うことができないといった組立作業性についての問題があった。
【００１１】
また、特許文献２や特許文献３によって提案されている先行例では、衝突防止機構を組み立てるのにアウトサート成形という高度な成形技術を用いることを余儀なくされるために組立工程が複雑でコスト高になることを避けられないという問題があった。
このほか、シート状のプロテクターをレンズホルダーの対物レンズ設置箇所の周囲に貼り付けることも行われていたが、このものは、プロテクターがレンズホルダーから剥がれるおそれがあるという、対物レンズがディスクに衝突することを防止する効果（プロテクト効果）の信頼性に関わる問題があった。
【００１２】
本発明は以上の問題に鑑みてなされたものであり、ディスクに当接することにより対物レンズがディスクに衝突することを阻止する衝突防止機構の構成要素であるプロテクターを起立姿勢でレンズホルダーに設置することによってプロテクト効果の信頼性を高めることを基本として、そのプロテクターの組立作業性を改善することを目的としている。
【課題を解決するための手段】
【００１３】
本発明に係る対物レンズアクチュエータは、記録媒体としてのディスクの記録面に光ビームを集光させる光学要素としての対物レンズを備えてなるレンズホルダーと、このレンズホルダーに設けられて、上記ディスクに当接することにより上記対物レンズが上記ディスクに衝突することを阻止する衝突防止機構とを備える。そして、上記衝突防止機構が、矩形平板状のプロテクターと、このプロテクターを起立姿勢で内部に収容してその一端面を上記ディスクの表面に対向させるプロテクター保持枠とを有し、上記プロテクター保持枠は、上記レンズホルダーと共に一体成形された樹脂成形体でなると共に上記プロテクターの差込口を有し、その差込口は、横幅が上記プロテクターの横幅よりも長く、かつ、縦幅が上記プロテクターの厚さと同等の横長開口によって形成され、その差込口の縦幅方向の縁部に、当該保持枠に挿入される上記プロテクターの端部を滑らせて当該保持枠の内部に誘導する傾斜した誘導ガイド面が備わっている。
【００１４】
この構成であれば、起立姿勢でレンズホルダーに設置されたプロテクターの一端面がディスクの表面に対向しているので、シート状のプロテクターをレンズホルダーの対物レンズ設置箇所の周囲に貼り付けたものに比べてプロテクト効果の信頼性が改善される。また、特許文献２及び特許文献３によって提案されているもののように、アウトサート成形という高度な成形技術を利用することなくプロテクターをレンズホルダーに装備させることが可能になるので、それだけ組立工程が簡略化されてコスト高になることを回避しやすくなる。
【００１５】
特に、この発明では、プロテクターの差込口を有するプロテクター保持枠の上記差込口の縦幅が上記プロテクターの厚さと同等の横長開口によって形成されているとしても、その横幅がプロテクターの横幅よりも長く形成されていることにより、矩形板片状のプロテクターをプロテクター保持枠に差し込んで組み付けるときの組立作業性が改善される。この作用は、差込口の縦幅方向の縁部に、プロテクター保持枠に挿入されるプロテクターの他端部を滑らせて当該保持枠の内部に誘導する傾斜した誘導ガイド面が備わっていることによってさらに顕著に発揮されるようになる。したがって、この発明による対物レンズアクチュエータは、上掲の特許文献１のものに比べても、その組立作業性が改善される。
【００１６】
本発明では、上記プロテクター保持枠が、起立姿勢で内部に収容された上記プロテクターの厚さ方向２箇所の表面に各別に接触してそのプロテクターの厚さ方向でのがたつきを防ぐ一対の側壁部と、上記プロテクターの他端面を支持して上記対物レンズからの当該プロテクターの一端面の出幅を規制する底壁部と、を有し、上記誘導ガイド面が、上記側壁部の端部の内側コーナ全長部分に形成された平坦な面取り面でなる、という構成を採用することが可能である。この構成を採用した対物レンズアクチュエータによれば、プロテクターの厚さ方向のがたつきがプロテクター保持枠の一対の側壁部によって防止される。また、プロテクターの他端面をプロテクター保持枠の底壁部に重ね合わせて支持させるだけで、対物レンズからの当該プロテクターの一端面の出幅が正確に定まる。さらに、プロテクター保持枠の側壁部の端部の内側コーナ全長部分に形成された平坦な面取り面によって誘導ガイド面を形成しているので、その誘導ガイド面をプロテクター保持枠の成形時に併せて形成することができるという利点がある。
【００１７】
本発明では、プロテクター保持枠の一対の上記側壁部に、上記プロテクターを先端部で挟持して当該プロテクター保持枠に収容させるときに用いられる治具の上記先端部の嵌合を許容する逃がし凹所が形成されていることが望ましい。この構成であれば、ピンセットなどの治具の先端部で矩形板状のプロテクターを挟持してプロテクター保持枠の内部に差し込んで収容させるときに、治具の先端部が上記逃がし凹所に嵌合するので、その治具の先端部がじゃまにならない。そのため、治具の先端部で挟持したプロテクターを確実にかつ容易にプロテクター保持枠の内部に差し込んで収容させることが可能になり、それだけ組立作業性が改善される。
【００１８】
本発明では、プロテクターの一対の上記側壁部のうちの少なくとも１つの側壁部に形成されている上記逃がし凹所が上記底壁部に達する深さに形成されていて、その底壁部と上記逃がし凹所の壁面とで囲まれた囲繞部に、上記プロテクターと上記プロテクター保持枠とを接合している接着剤が塗布されていることが望ましい。この構成であれば、プロテクター保持枠の底壁部が逃がし凹所の壁面で囲まれた部分にまで拡張されるために、その部分への接着剤と塗布作業を容易に行えるようになり、併せて、接着剤の接合面積も上記部分に達するように拡張されるために、プロテクターとプロテクター保持枠との接合信頼性が高まる。
【００１９】
本発明では、上記衝突防止機構が、上記レンズホルダーの対物レンズ設置箇所を挟んでその両側に位置していることが望ましい。この構成であれば、レンズホルダーが対物レンズの設置箇所の片側又は他側のいずれの方向に傾いても、対物レンズとディスクとの衝突がプロテクターによって阻止される。ディスクが傾いた場合も同様である。
【００２０】
本発明では、プロテクター保持枠の上記差込口の横幅方向が、上記対物レンズに対向配備される上記ディスクの記録面の半径方向に沿っていることが望ましい。この構成であれば、プロテクター保持枠の一対の側壁部によってプロテクターの厚さ方向のがたつきが防止されていることとの関係上、回転中のディスクにプロテクターの一端面が当接したとしても、そのプロテクターががたつくという事態が起こらない。その結果、プロテクターによるプロテクト効果を確実に発揮させやすい。
【発明の効果】
【００２１】
以上のように、本発明によれば、ディスクに当接することにより対物レンズがディスクに衝突することを阻止する衝突防止機構の構成要素であるプロテクターを起立姿勢でレンズホルダーに設置することによってプロテクト効果の信頼性が高まる。併せて、プロテクターの組立作業性が改善される。
【図面の簡単な説明】
【００２２】
【図１】本発明の実施形態に係る対物レンズアクチュエータの概略平面図である。
【図２】同対物レンズアクチュエータの概略側面図である。
【図３】プロテクター保持枠とプロテクターとを示した分解斜視図である。
【図４】プロテクターを収容しているプロテクター保持枠の平面図である。
【図５】プロテクターの組立作業工程を例示した説明図である。
【図６】プロテクターを収容しているプロテクター保持枠を説明的に示した斜視図である。
【図７】誘導ガイド面の作用や接着剤の塗布箇所を示した縦断側面図である。
【発明を実施するための形態】
【００２３】
図１は本発明の実施形態に係る対物レンズアクチュエータの概略平面図、図２は同対物レンズアクチュエータの概略側面図である。
【００２４】
図１及び図２に示した対物レンズアクチュエータにおいて、平面視矩形の樹脂成形体でなるレンズホルダー１０は、その幅方向略中央部に対物レンズ１１を装備している。このレンズホルダー１０の両側部には、レンズホルダー１０の左右の側面のそれぞれから互いに反対向きに突き出た突起２０が備わっていて、その突起２０が、第１突部３０と第２突部４０とに分割されている。
【００２５】
５０は固定部材である。この固定部材５０は、板金製のベース板６０に搭載されていると共に、その背面に配線基板７０が装着されている。また、固定部材５０の両側部には前後方向に延びる溝部５１が備わっていて、上記配線基板７０に根元端部が半田付けされたサスペンションワイヤー７１が、その溝部５１を通して固定部材５０の前方へ延び出ている。溝部５１にはダンパー剤が装填されている。サスペンションワイヤー７１は、ばね性を有する導電性の金属細線によって形成されていて、その先端部領域Ｌが、上記したレンズホルダー１０の第１突起３０と第２突起４０とでなる突起２０に固着されている。
【００２６】
また、対物レンズアクチュエータには電磁駆動装置８０が装備されている。電磁駆動機構８０は、レンズホルダー１０の前後の端面に装備されているコイル８１，８２、ベース板６０に切起し形成されたヨーク８３に固定されて上記コイル８１，８２に対向配備された磁石８４などを備えている。電磁駆動機構８０のコイル８１，８２は、４個のフォーカスコイルと２個のトラッキングコイルとに分かれていて、それらの各コイル８１，８２のそれぞれに対応して１本ずつのサスペンションワイヤー７１が設けられている。そして、それら６本のサスペンションワイヤー７０が、３本ずつに振り分けられてレンズホルダー１０を挟む両側に配備され、同じ構造でそのレンズホルダー１０の突起２０に固着されている。
【００２７】
以上の構成を備えた対物レンズアクチュエータでは、配線基板７０の回路パターン（不図示）及びサスペンションワイヤー７１を経てコイル８１，８２に制御信号が通電される。そして、それらのコイル８１，８２などを備える電磁駆動機構８０の作用によってレンズホルダー１０がフォーカス方向やトラッキング方向に変位し、その変位動作に追従して複数本のサスペンションワイヤー７１が撓み変形する。
【００２８】
図１において、Ｐは衝突防止機構を示している。この衝突防止機構Ｐは、レンズホルダー１０の対物レンズ設置箇所を挟んでその両側に対称に位置していて、プロテクター保持枠９０とそのプロテクター保持枠９０に起立姿勢で収容されている矩形板状のプロテクター９８とからなる。そして、図２のように、プロテクター９８の一端面９９が、記録媒体としての円盤型のディスクの表面Ｓに所定の間隔を隔てて対向している。また、プロテクター９８の一端面９９は、対物レンズ１１よりもディスクの表面Ｓ側に出幅δだけ突き出ている。この構成を採用していることにより、対物レンズ１１とディスクの表面Ｓとの対向間隔（ＷＤ）が非常に小さい場合に、ディスクの反り変形や振動などの何らかの要因が発生しても、対物レンズ１１がディスクの表面Ｓに衝突するよりも先に、プロテクター９８の一端面９９がディスクの表面Ｓに当接する。その結果、対物レンズ１１とディスクの表面Ｓとの衝突が未然に防止され、ディスクの表面Ｓが傷付いたり、ディスクの記録面が損傷したり、対物レンズ１１の表面が傷付いたりするおそれがなくなる。プロテクター９８は、滑り性に優れ、かつ、ディスクの表面Ｓよりも低硬度の材料によって矩形板状に形成されている。その材料の具体例としては、たとえば、ゴム系材料、ポリアセタールやポリカーボネートなどの合成樹脂系材料を挙げることができる。
【００２９】
次に、図３〜図７を参照してプロテクター保持枠９０の構成やプロテクター９８の組立作業工程などを説明する。
【００３０】
図３はプロテクター保持枠９０とプロテクター９８とを示した分解斜視図、図４はプロテクター９８を収容しているプロテクター保持枠９０の平面図である。また、図５はプロテクターの組立作業工程を例示した説明図、図６はプロテクター９８を収容しているプロテクター保持枠９０を説明的に示した斜視図である。さらに、図７は誘導ガイド面９２の作用や接着剤２００の塗布箇所を示した縦断側面図である。
【００３１】
図３のように、プロテクター保持枠９０は、レンズホルダー１０と共に一体成形された樹脂成形体でなる。このプロテクター保持枠９０は、レンズホルダー１０の表面から立ち上げられた平面視横長矩形の筒形に形成されていて、その端部に差込口９１を有している。図４に示したように、差込口９１は、横幅Ｗ１が矩形板状のプロテクター９０の横幅Ｗ２よりも長く、かつ、縦幅Ｄ１がプロテクターの厚さＤ２と同等の横長開口によって形成されている。また、差込口９１の縦幅方向（図５〜図７に矢印Ｂで示している。）の２箇所の縁部には誘導ガイド面９２…が備わっている。これらの誘導ガイド面９２は、プロテクター保持枠９０の縦幅方向Ｂで対向している一対の側壁部９３，９４の端部の内側コーナ全長部分に形成された平坦な４５度面取り面でなる。さらに、プロテクター保持枠９０の一対の側壁部９３，９４には、図５のようにプロテクター９８を先端部で挟持してプロテクター保持枠９０に収容させるときに用いられる治具（たとえば、先細ピンセット）１００の先端部１１０の嵌合を許容する逃がし凹所９５，９６が形成されている。そして、これらの逃がし凹所９５，９６のうち、一方側の逃がし凹所９５は、プロテクター保持枠９０の底壁部９７に達する深さに形成されていて、底壁部９７の表面が側壁部９３の厚さに相応する広さ分だけ拡張されている。これに対し、他方側の逃がし凹所９６は、側壁部９４の中間位置に達する深さに形成されている。
【００３２】
プロテクター９８をプロテクター保持枠９０に組み付ける工程などを説明する。図５のように、組み付けは、プロテクター９８の一端部を先細ピンセットなどの治具１００で挟持して矢印Ｙのようにプロテクター保持枠９０の差込口９１に差し込むことにより、プロテクター９８をプロテクター保持枠９０に収容させることによって行われる。
【００３３】
ところで、プロテクター保持枠９０の縦幅方向Ｂの一対の側壁部９３，９４の相互間隔、すなわち差込口９１の縦幅Ｄ２（図４参照）は、プロテクター９８の厚さＤ１と同等になっている。そのため、上記の差込み工程では、治具１００で挟持したプロテクター９８が他端部が、プロテクター保持枠９８の差込口９１の内側コーナに引掛かって差込み操作を困難にすることが考えられる。しかし、この実施形態では、上記したように、差込口９１の横幅Ｗ１が矩形板状のプロテクター９０の横幅Ｗ２よりも長くなっているので、そのことが、差込み操作を容易に行うことに役立つ。しかも、差込口９１の縦幅方向Ｂの両方の縁部に誘導ガイド面９２…が形成されていることにより、仮にプロテクター９８の下端が図７に仮想線で示したようにその誘導ガイド面９２に係合したとしても、差込み工程を続けるだけでプロテクター９８の他端部が誘導ガイド面９２を滑ってプロテクター保持枠９０の内部に誘導される。したがって、この実施形態では、差込口９１の横幅Ｗ１が矩形板状のプロテクター９０の横幅Ｗ２よりも長くなっていることにより差込み工程が容易になることに加えて、誘導ガイド面９２の作用によって差込み工程がいっそう容易になるということが云える。
【００３４】
また、プロテクター９８を挟持している治具１００の先端部１１０は、プロテクター９８をプロテクター保持枠９０に差し込んで収容させたときに、プロテクター保持枠９０の一対の側壁部９３，９４に形成されている逃がし凹所９５，９６に嵌合する。このため、差込み工程で治具１００の先端部１１０がプロテクター保持枠９０に当たってじゃまになることがない。このことにより、治具１００の先端部１１０で挟持したままプロテクター９８をプロテクター保持枠９０に差し込むだけで、プロテクター９８の他端部をプロテクター保持枠９０の底壁部９７に確実に重ね合わせることが可能になり、そのことが、対物レンズ１１からプロテクター９８の一端面９９の出幅δを容易に正確に定めることに役立つ。
【００３５】
さらに、プロテクター保持枠９０にプロテクター９８を組み付けた後では、プロテクター保持枠９０の一対の側壁部９３，９４がプロテクター９８の厚さ方向の２箇所の表面に接触するので、一対の上記側壁部９３，９４によってプロテクター９８が厚さ方向でがたつきなく挟まれた状態になる。したがって、プロテクター保持枠９０の差込口９１の横幅方向Ａを、対物レンズ１１に対向配備されるディスクの表面Ｓの半径方向に沿わせておくと、プロテクター９８の厚さ方向がディスクの回転方向に沿うので、仮にプロテクター９８の一端部が回転中のディスクに当接したとしても、プロテクター９８ががたつきを生じることがなくなって、プロテクト効果が長期に亘って確実に発揮されるようになる。
【００３６】
プロテクター９８をプロテクター保持枠９０に差し込んで収容させた後では、プロテクター９８をプロテクター保持枠９０に接着剤で接合する工程が行われる。この実施形態では、その接合工程での接着剤の塗布箇所を、プロテクター保持枠９０の底壁部９７と一方の側壁部９３の逃がし凹所９５の壁面とで囲まれた囲繞部に定めて、その囲繞部に図７のように接着剤２００を塗布するようにしている。こうしておくと、プロテクター保持枠９０の底壁部９７の拡張部分９７ａに接着剤２００を容易に塗布することができ、しかも、接着剤２００の接合面積も拡がってプロテクター９８とプロテクター保持枠９０との接合信頼性が高まる。
【００３７】
この実施形態では、プロテクター保持枠９０の差込口９１の横幅Ｗ１を矩形板状のプロテクター９０の横幅Ｗ２よりも長くすることと、差込口９１の縦幅方向Ｂの２箇所の縁部に誘導ガイド面９２…を具備させることと、の両方によってプロテクター９８の差込工程が容易に行われるように構成してあるけれども、この点は、誘導カイド面９２を省略し、差込口９１の横幅Ｗ１を矩形板状のプロテクター９０の横幅Ｗ２よりも長くしておくだけでも、それに見合って、差込工程を容易に行うことができるようになる。
【００３８】
また、衝突防止機構Ｐは、対物レンズ１１を挟む左右両側に対称に位置させているけれども、この点は、対物レンズ１１を挟む前後左右の対称位置に装備させておいてもよい。
【符号の説明】
【００３９】
１０  レンズホルダー
１１  対物レンズ
９０  プロテクター保持枠
９１  差込口
９２  誘導ガイド面
９３，９４  側壁部
９５，９６  逃がし凹所
９７  底壁部
９８  プロテクター
９９  プロテクターの一端面
１００  治具
１１０  治具の先端部
２００  接着剤
Ｐ  衝突防止機構
Ｄ１  差込口の縦幅
Ｄ２  プロテクターの厚さ
Ｗ１  差込口の横幅
Ｗ２  プロテクターの横幅
δ  プロテクターの一端面の出幅
Ａ  差込口の横幅方向
Ｂ  差込口の縦幅方向
【図１】
2010192035.tif 000003
【図２】
2010192035.tif 000004
【図３】
2010192035.tif 000005
【図４】
2010192035.tif 000006
【図５】
2010192035.tif 000007
【図６】
2010192035.tif 000008
【図７】
2010192035.tif 000009